(57)【要約】【課題】データ伝送路の少なくとも一部を無線通信とするシステムにおいて、通信環境の変化に起因して発生する通信障害を監視し、必要に応じて障害の発生を通報する。【解決手段】無線によるデータの送受信が可能な端末装置と、前記端末装置と無線伝送によりデータの送受信を行う無線送受信装置であって、端末装置とこの無線送受信装置の間の無線伝送路における通信環境を変化させる要素である通信環境変動要素（例えば、ノイズレベル、温度、湿度、結露など）を測定するセンサを有する無線送受信装置と、この無線送受信装置から前記端末装置との無線通信の実行結果を示すデータである通信実行レポートと、センサから出力された通信環境変動要素の測定結果を示すデータである測定結果データに基づいて生成されたログを受け取り、このログに基づいて通信障害の発生を判定する無線通信障害監視装置とを有する。【選択図】図１
2008005039.tif 000002
【特許請求の範囲】
【請求項１】
無線によるデータの送受信が可能な端末装置と、
前記端末装置と無線伝送によりデータの送受信を行う無線送受信装置であって、前記端末装置とこの無線送受信装置の間の無線伝送路における通信環境を変化させる要素である通信環境変動要素を測定するセンサを有する無線送受信装置と、
この無線送受信装置から前記端末装置との無線通信の実行結果を示すデータである通信実行レポートと、センサから出力された通信環境変動要素の測定結果を示すデータである測定結果データに基づいて生成されたログを受け取り、このログに基づいて通信障害の発生を判定する無線通信障害監視装置と
を有することを特徴とする無線通信障害監視システム。
【請求項２】
無線送受信装置における無線通信の実行結果を示す通信実行レポートと、センサから出力された測定結果データとに基づいて生成されたログを各無線送受信装置から受け取り記憶するログ記憶部と、
前記ログ記憶部に記憶されたログに基づいて、通信障害の発生の判定を行うログ解析部と、
前記ログ解析部からの指令を受け取り、指令に応じて所定の通報処理を実行する通報部と
を有する無線通信障害監視装置。
【発明の詳細な説明】
【技術分野】
【０００１】
本発明は、無線通信障害監視システム、並びに無線通信障害監視装置に関する。
【背景技術】
【０００２】
無線通信技術及びネットワーク技術の発展と普及に伴って、データ伝送路の一部を無線とした、リーダ／ライタやアクセスポイントなどの無線通信手段を用いるシステムが広がりつつある。例えば、いわゆるＲＦＩＤ（無線ＩＣタグ）をリーダ／ライタによって読み出して、ＲＦＩＤが記憶している固有ＩＤを管理システムに提供するシステムや、無線ＬＡＮ接続機能を有するＰＣや無線ＬＡＮ対応ＩＰ電話端末などとアクセスポイントとにより無線ＬＡＮを構成するシステムなどが提案されている（例えば、特許文献１、特許文献２）。
【特許文献１】特開２００５−３４８２８６号公開公報
【特許文献２】特開２００５−３４１４４４号公開公報
【発明の開示】
【発明が解決しようとする課題】
【０００３】
しかしながら、上記のようなデータ伝送路の一部に無線通信手段を利用するシステムにおいて、その無線通信手段は、周波数帯域によって影響の受け方が違うものの、環境の変化等によって、その通信性能に多大な影響が生ずる。例えば、フロアノイズの増大、隣接する部屋やビルから飛び込んでくる電波、移動する人や物等による電波の反射や遮断などによって、通信速度の低下や、通信成功率の低下などの障害が発生する。
【０００４】
しかし、データ伝送路の少なくとも一部を無線とする従来のシステムは、通信状況の変化によりデータ伝送路上の通信障害が生じていても、それがデータ伝送上に生じた通信障害であるのか、あるいは読み取り対象であるＲＦＩＤが不存在であるのか、あるいは通信対象であるＰＣやＩＰ電話端末が不存在であるのか、あるいはこれらが非稼働状態となっているのか、あるいは装置の経年劣化による通信性能の低下によるものなのか、を判別できず、その結果装置(システム)が管理者に対して、通信障害の発生を通報することができなかった。
【０００５】
すなわち、利用者がその通信速度の低下を発見する場合は別として、ＲＦＩＤを利用したシステム、無線ＬＡＮを使った無人にて（機械やシステムが）データを収集するシステム、セキュリティシステム等のデータ伝送路の少なくとも一部を無線通信とするシステムは、通信環境の変化によって通信ができなくなり、システム本来の機能を発揮できなくなっていること、またあるいは、何らかの要因で、一時的に通信ができない状況が発生していることをシステム利用者、あるいはシステム運用者が知る方法が無かった。かかる問題は、とりわけ無線ＳＩＰフォンなどでは重大な問題である。なぜなら、旧アナログの固定網からの切り替えにより、無線ＳＩＰフォンは今後増加することになるが、電話＝ライフラインであり、たとえ一時的であっても使用できない状況が発生することは、ライフラインの一つである電話システムにおいて致命的だからである。
【０００６】
本発明の目的は、データ伝送路の少なくとも一部を無線通信とするシステムにおいて、通信環境の変化に起因して発生する通信障害を監視し、必要に応じて障害の発生を通報する技術を提供することにある。
【課題を解決するための手段】
【０００７】
上記課題を解決するための手段として、本発明は以下の特徴を有している。
本発明の第１の態様は、無線によるデータの送受信が可能な端末装置（例えば、ＲＦＩＤ（無線ＩＣタグ）、無線ＬＡＮ対応ＰＣ，無線ＳＩＰフォンなど）と、端末装置と無線伝送によりデータの送受信を行う無線送受信装置（例えば、リーダ／ライタ、アクセスポイントなど）であって、端末装置とこの無線送受信装置の間の無線伝送路における通信環境を変化させる要素である通信環境変動要素（例えば、ノイズレベル、温度、湿度、結露など）を測定するセンサを有する無線送受信装置と、この無線送受信装置から端末装置との無線通信の実行結果を示すデータである通信実行レポートと、センサから出力された通信環境変動要素の測定結果を示すデータである測定結果データに基づいて生成されたログを受け取り、このログに基づいて通信障害の発生を判定する無線通信障害監視装置とを有することを特徴としている。
【０００８】
本システムによれば、通信障害を発生させる要因である通信環境変動要素の変動や発生を検出しながら、通信障害の発生を監視する。本システムは、通信環境の変化に起因して発生する通信障害を監視し、必要に応じて障害の発生を通報することができる。
【０００９】
本発明の第２の態様は、無線通信障害監視装置として提案される。この無線通信障害監視装置は、無線送受信装置（例えば、リーダ／ライタ、アクセスポイントなど）における無線通信の実行結果を示す通信実行レポートと、センサから出力された測定結果データとに基づいて生成されたログを各無線送受信装置から受け取り記憶するログ記憶部と、ログ記憶部に記憶されたログに基づいて、通信障害の発生の判定を行うログ解析部と、ログ解析部からの指令を受け取り、指令に応じて所定の通報処理を実行する通報部とを有することを特徴としている。
【００１０】
本装置によれば、通信障害を発生させる要因である通信環境変動要素の変動や発生を検出しながら、通信障害の発生を監視する。本装置は、無線送受信装置それぞれに関して通信環境の変化に起因して発生する通信障害を監視し、必要に応じて障害の発生を通報することができる。そのため、通信障害の発生時期、発生場所、発生原因などを容易に把握することが可能となる。
【発明の効果】
【００１１】
本発明によれば、通信障害の発生を、障害の具体的な問題の状況（予想される原因など）を特定可能な状態で、管理者などに知らせることが可能となる。そのため、通報を受けた管理者などは、より安定して信頼性の高い、無線通信を利用したシステムの運営を行うことが可能となる。
【発明を実施するための最良の形態】
【００１２】
以下、図面を参照しながら本発明の実施の形態について説明する。
図１は、本実施の形態にかかる無線通信障害監視システムの構成例を示すブロック図である。
【００１３】
無線通信障害監視システム１は、通信障害の発生を監視するシステムである。
この無線通信障害監視システム１は、１つ又は複数の端末装置１０と、端末装置１０と無線によりデータ伝送を行う無線送受信装置２０であって、端末装置１０とこの無線送受信装置２０の間の無線伝送路における通信環境を変化させる要素（以下、「通信環境変動要素」と呼ぶ）を測定する１又は複数種類のセンサを有する無線送受信装置２０と、この無線送受信装置２０から端末装置１０との通信結果及びセンサ３０により測定した通信環境変動要素の測定結果を受け取り、これらに基づいて通信障害の発生を監視する無線通信障害監視装置とを有している。
【００１４】
［端末装置１０］
端末装置１０は、無線送受信装置２０との間で無線によりデータ伝送を行う装置である。端末装置１０は、例えば、無線ＩＣタグ、無線ＬＡＮに接続可能な機能を有するパーソナルコンピュータ、無線ＩＰ電話端末（例えば、無線ＳＩＰフォン）などである。
【００１５】
［無線送受信装置２０］
無線送受信装置２０は、端末装置１０との間で無線伝送によるデータ送受信を行い、必要に応じて端末装置１０から受信したデータを主装置やネットワークに送出し、又は主装置やネットワークから受け取ったデータを端末装置１０に送信する。
【００１６】
また、無線送受信装置２０は端末装置１０とのデータ送受信の実行状況の報告である実行レポートと、センサ３０が検出した測定結果である測定結果データとによる構成されるデータである通信環境ログを無線通信障害監視装置４０に渡す。
【００１７】
図２は、無線送受信装置２０の構成例を示す機能ブロック図である。無線送受信装置２０は、端末装置１０と無線伝送によるデータ送受信を行う無線通信部２０１と、センサ３０から測定結果データを受け取り、これを刻々記憶する環境測定部２０２と、無線通信部２０１から通信実行レポートを受け取ると共に、環境測定部２０２から測定結果データを受け取り、これらから通信環境ログを生成し、生成した通信環境ログを無線通信障害監視装置４０に渡すログ生成部２０３とを有している。
【００１８】
「無線通信部２０１」
無線通信部２０１は、送信データの変調、受信データの復調を行い、端末装置１０との間で無線伝送によるデータ送受信を行う。また、無線通信部２０１は端末装置１０との通信の実行状況を示すデータである通信実行レポートを出力する。例えば、無線通信部２０１は、端末装置１０への呼び出しの実行時刻、その結果得た端末装置１０からの応答受信状況などを実行レポートとして出力する。
【００１９】
また、無線通信部２０１はデータ送受信に異なる複数の周波数帯域（チャネル）を用いることができる場合には、その周波数帯域の切り替え状況と、各周波数帯域における端末装置１０への呼び出しの実行、その実行時刻、その結果得た端末装置１０からの応答受信状況などを通信実行レポートに含めて出力する。
【００２０】
図３は、無線通信部２０１によって出力される通信実行レポートの例を示す図である。この例では、無線送受信装置２０としてリーダ／ライタが使用されている。このリーダ／ライタは、通常ＬＢＴ機能等を用いて各チャネル間の干渉を防止しながら１〜９までの９つのチャネルを順に切り替えながら端末装置１０である無線ＩＣタグの呼び出しを行うものとする。通信実行レポート３００は、チャネルごとに行われる無線ＩＣタグの呼び出し処理ごとにひとつのレコード３０１が生成される。各レコード３０１は、時刻フィールド３０２、チャネルフィールド３０３、応答状況フィールド３０４を有している。時刻フィールド３０２は、その無線ＩＣタグの呼び出し処理の実行時刻（日付及び時刻）を格納するフィールドである。チャネルフィールド３０３は、その呼び出し処理に用いたチャネル番号を格納するフィールドである。応答状況フィールド３０４は、その呼び出し処理において応答した端末装置１０、すなわち無線ＩＣタグの個数を格納するフィールドである。図３に示す例では、時刻「２００６／５／３０  １０：００：００」から１分ごとにチャネルを切り替えながらその無線ＩＣタグの呼び出し処理を行った場合の通信実行レポート３００となっている。時刻「１０：００：００」から「１０：０８：００」までにチャネル１からチャネル９までの呼び出し処理が行われていることが通信実行レポートに記憶されており、対応するレコードの応答状況フィールド３０４の数値を見ると、チャネル５において応答した端末装置１０、すなわち無線ＩＣタグの個数が他のチャネル１から４、及び６から９の場合に比べて極端に少なくなっており、この時刻帯においてはチャネル５の周波数帯域において何らかの通信障害が発生している可能性があることが推定される。
【００２１】
上記チャネル１からチャネル９までを使用した呼び出しは繰り返し行われる。図３に示す例では、時刻「１０：１５：３０」から「１０：２３：３０」までにチャネル１からチャネル９までの呼び出し処理が行われていることが記録されている。対応するレコードの応答状況フィールド３０４の数値を見ると、チャネル３において応答した端末装置１０、すなわち無線ＩＣタグの個数が他のチャネル１から４、及び６から９の場合に比べて極端に少なくなっており、この時刻帯においてはチャネル３の周波数帯域において何らかの通信障害が発生している可能性があることが推定される。
【００２２】
［環境測定部２０２］
図２に戻り、無線送受信装置２０の説明を続ける。
環境測定部２０２は、センサ３０が出力する測定結果データを時刻と対応付けて記憶する。センサ３０は通信障害を発生させる要素を測定し、測定結果データを環境測定部２０２に出力する。通信障害を発生させる要素は、例えば以下のようなものがあげられる。
（１）ノイズ
（２）温度
（３）湿度
（４）結露
これら通信障害を発生させる要素を測定するセンサ３０として、本実施の形態にかかる無線送受信装置２０は、ノイズ測定装置、温度センサ、湿度センサ、結露センサの４種類のセンサ３０を有している。なお、これらセンサ３０は接続先の無線送受信装置２０の通信領域内に設けられている。
【００２３】
以下、上記通信障害を発生させる要素（１）から（４）について説明する。
ノイズは、無線送受信装置２０が使用する周波数帯域毎に測定することが好ましい。ノイズを上昇させる原因としては、例えば１３．５６ＭＨｚ帯においては、電気設備でインバーターを持たせたものから電源ラインを通じて、あるいは空中伝搬により発生するノイズ、パソコンなどの電子機器から発生するノイズ、短波放送の電波などである。９５０ＭＨｚ帯においては、業務用の無線によるノイズ、携帯電話関連の機器によるノイズなどが原因となりうる。また、同じ周波数帯を使用する無線送受信装置２０が近隣に設置されている場合、例えば、隣接する部屋やビル内に同種のリーダ／ライタ、アクセスポイントなどが設置されている場合、これらの無線送受信装置２０が発する電波が飛び込んでくることにより、通信障害を発生させる要素となりうる。
【００２４】
温度、湿度、結露が通信環境に大きく影響を与え、通信障害が生ずる可能性がある。特に、２．４５Ｇ帯域を使用する無線送受信装置２０の場合には、湿度による影響が大きい。
【００２５】
図４は、環境測定部２０２が記憶する測定結果データの例を示す図である。図４に示す測定結果データ４００は、単位時刻（この例では、１秒）ごとに１つのレコード４０１が生成される。測定結果データ４００は時刻の経過に従って刻々追加されるレコード４０１により構成されるデータである。各レコード４０１は、時刻フィールド４０２と、各センサ３０からの測定結果を格納するフィールド４０３から４０６で構成される。この例では、環境測定部２０２は４つのセンサ３０からの測定結果を受け取り、対応するフィールドに格納する。４つのセンサ３０は、ノイズレベルセンサ、温度センサ、湿度センサ、結露センサである。これら４つのセンサ３０の測定結果は、それぞれノイズフィールド４０３、温度フィールド４０４、湿度フィールド４０５、結露フィールド４０６に格納される。
【００２６】
なお、図１，図２ではこれらのセンサ３０は無線送受信装置２０とは別体の装置として、無線送受信装置２０に通信ケーブルなどで接続される構成として図示したが、センサ３０は無線送受信装置２０内に取り付けられる構成であってももちろん構わない。
【００２７】
［ログ生成部２０３］
図２に戻り、無線送受信装置２０の構成の説明を続ける。
無線送受信装置２０の構成要素の一つであるログ生成部２０３は、無線通信部２０１から出力された通信実行レポート３００と、環境測定部２０２から出力される測定結果データ４００とに基づいてログを生成し、無線通信障害監視装置４０にログを渡す。図５に、ログ生成部２０３が生成するログの一例を示す。ログ５００は、時刻（時刻帯を含む）ごとに一つのレコード５０１を有しており、各レコード５０１は、そのレコード５０１の時刻帯を格納する時刻フィールド５０２と、測定結果データに含まれる測定結果を格納するノイズフィールド５０３、温度フィールド５０４、湿度フィールド５０５、及び結露フィールド５０６を有すると共に、各チャネルについて応答状況を格納するチャネル１フィールド５０７、チャネル２フィールド５０９、チャネル３フィールド５０９からチャネル９フィールド５１０（チャネル４フィールドからチャネル８フィールドについては図略）を有している。
【００２８】
図５に示す例では、第１のレコード５０１（図中最上段のレコード）は、日付「２００６／５／３０」の時刻「１０：００：００」から「１０：０８：５９」までの時刻帯の測定結果、及びチャネル毎の応答状況を格納している。
【００２９】
ログ生成部２０３は、時刻帯が経過する毎にレコード５０１を追加してログ５００を生成する。ログ生成部２０３は、生成したログ５００を適宜のタイミングで無線通信障害監視装置４０に出力する。
【００３０】
［無線通信障害監視装置４０］
図１に戻り、無線通信障害監視装置４０の説明をする。
無線通信障害監視装置４０は、無線送受信装置２０からログ５００を受け取り、このログ５００に基づいてその無線送受信装置２０の通信領域における通信障害の発生の有無を監視する。
【００３１】
無線通信障害監視装置４０は、演算処理装置（ＣＰＵ）、主メモリ（ＲＡＭ）、読出し専用メモリ（ＲＯＭ）、入出力装置（Ｉ／Ｏ）、必要な場合にはハードディスク装置等の外部記憶装置を具備している装置であって、例えばコンピュータ、ワークステーションなどの情報処理装置である。前記ＲＯＭ、若しくはハードディスク装置などに、情報処理装置を無線通信障害監視装置４０として機能させるためのプログラム、又は通信状態監視方法をコンピュータに実行させるためのプログラムが記憶されており、このプログラムを主メモリ上に載せ、ＣＰＵがこれを実行することにより無線通信障害監視装置４０が実現され、若しくは通信障害監視方法が実行される。また、上記プログラムは必ずしも情報処理装置内の記憶装置に記憶されていなくともよく、外部の装置（例えば、ＡＳＰ（アプリケーション・サービス・プロバイダのサーバなど））から提供され、これを主メモリに乗せる構成であってもよい。
【００３２】
図６は、無線通信障害監視装置４０の構成例を示す機能ブロック図である。
図６に示す無線通信障害監視装置４０は、ログ記憶部４０１と、ログ記憶部４０１の記憶内容を参照するログ解析部４０２と、ログ解析部４０２によって参照される条件記憶部４０３と、ログ解析部４０２からの指令を受け取り、指令に応じて所定の通報処理を実行する通報部４０４とを有している。
【００３３】
ログ記憶部４０１は、各無線送受信装置２０から送信されてきたログ５００を記憶する機能を有する。ログ記憶部４０１は、無線送受信装置２０ごとに一つのログ５００を記憶する。無線通信障害監視装置４０は、各ログ５００を解析することにより、各無線送受信装置２０の通信領域内での通信障害の発生の有無を知ることができる。また、蓄積記憶している過去のログ５００を解析することにより、どのような環境条件となると、通信障害が発生するのかを知ることができる。
【００３４】
ログ解析部４０２は、ログ５００を解析することにより無線送受信装置２０の通信領域内での通信障害の発生の有無を判定する機能を有する。この判定には、後述する条件記憶部４０３が記憶する条件が用いられる。判定の結果、通信障害の発生ありと判定した場合は、ログ解析部４０２は後述の通報部４０４に、通報を行うよう指令を送る。
【００３５】
条件記憶部４０３は、通報部４０４に所定の通報処理を実行させる条件、すなわち通信障害の発生を認定する条件を記憶する。例えば、温度がＸ℃以上且つ湿度Ｙ％以上であって、応答状況が他のチャネルの５０％以下である、というように条件を条件記憶部４０３は記憶している。条件は複数記憶されていてよい。条件の内容は、過去の運用経験から決定されるものであってもよいし、端末装置１０や無線送受信装置２０の性能や使用によって決定されるものであってもよい。また、これらの内容に基づき管理者等が自ら設定できるようにしてもよい。
【００３６】
通報部４０４は、ログ解析部４０２から指令を受け取ると、所定の通報あて先に対して通信障害が発生したことを通報するための通報処理を行う。通報処理の具体的方法としては、例えば、システムの管理者に宛てた電子メールを送信する、監視サイトに障害発生メッセージを表示する、などであって、通報方法に制限は無い。
【００３７】
なお、複数の無線送受信装置２０を含む無線通信障害監視システム１である場合には、通報部４０４は、どの無線送受信装置２０について通信障害が発生しているかを示す情報、例えば、無線送受信装置２０の識別番号、無線送受信装置２０の設置場所（例えば、フロア番号、部屋番号、区画番号、部署名など）を通報に含めるようにしてよい。
【００３８】
図７は、無線通信障害監視装置４０の動作例を示すタイミングチャートである。図７（Ａ）は、あるセンサ３０から出力される通信障害を発生させる要素の変化を示し、図７（Ｂ）は、無線通信部２０１から出力される通信状況の変化を示し、図７（Ｃ）は無線通信障害監視装置４０の動作を示している。この例では、通信障害を発生させる要素及び通信状況がともに異常を示す値となると、条件記憶部４０３に記憶された条件が満たされるものとする。
【００３９】
さて、時刻Ｔ１においては、通信障害を発生させる要素及び通信状況は平常である。そのため、時刻Ｔ１において、無線通信障害監視装置４０はログ解析処理を行うが、条件記憶部４０３に記憶された条件を満たさないため、通報処理は行わない。次に、時刻Ｔ２においては、通信障害を発生させる要素及び通信状況はともに異常を示す値に変化している。無線通信障害監視装置４０はログ解析処理を行うと、条件記憶部４０３に記憶された条件である通信障害を発生させる要素及び通信状況がともに異常を示す値であることが満たされたため、通報処理を実行する。この通報処理により通報のあて先に、通信障害が発生していることをリアルタイムで知らせることが可能となる。次に、時刻Ｔ３において、時刻Ｔ１においては、通信障害を発生させる要素は異常を示す値となっているが、通信状況を示す値は平常である。そのため、無線通信障害監視装置４０は時刻Ｔ３においてログ解析処理を行うが、条件記憶部４０３に記憶された条件を満たさないため、通報処理は行わない。
【００４０】
また、蓄積されたログを分析することにより、通信障害のさらに具体的な原因（要素、要素の組み合わせ、値など）の特定を行うことも可能となる。
【００４１】
［利点］
本システムによれば、通信障害を起こす問題が、いつ、どの場所で、どのような原因で発生したのかを管理者が知ることができるとともに、そのような通信障害が継続して起こっているのか、定期的に起こっているのか、不定期に発生しているのかなどの情報をも管理者は自動的に得ることができる。その結果、管理者は安定した信頼性の高いシステム運営を実現することが可能となる。
【００４２】
［変形例］
（１）図１には、無線送受信装置２０が一つである構成を示したが、無線送受信装置２０は一つに限られず複数個の無線送受信装置２０が一つの無線通信障害監視装置４０に接続された構成であっても、本実施の形態にかかる無線通信障害監視システム１は成立する。例えば、複数のフロアからなる事業所においてフロア毎に一つの無線送受信装置２０として機能するアクセスポイントを設け、これらアクセスポイントを無線通信障害監視装置４０として機能するコンピュータに接続して無線通信障害監視システム１を構成する。
【００４３】
（２）上記実施の形態では、センサ３０により検出可能な、通信障害を発生させる要素及び通信状況レポートに基づいて、通信障害の発生を判定したが、通信状況レポートにのみ基づいて通信障害の発生を判定するようにしてもよい。例えば、部屋に設置する机、パーティション、棚などの新規設置や場所の移動によって端末装置１０と無線送受信装置２０との通信状況が影響を受ける可能性があり、このような場合には、センサ３０による測定結果データには何らかの変化も無いが、通信状況レポートには、通信障害の発生が示唆される。例えば、無線通信における電波干渉技術の一種であるＬＢＴ(Listen  Before  Talk)機能を備えた無線送受信装置２０において他のチャネルへの移行頻度の上昇、通信速度レートの低下などである。ログ解析部４０２がこのような変化をログから検出した場合に、センサ３０による測定結果データに変化が無くとも、通報部４０４に指令を出し、通報を発するようにしてもよい。
【図面の簡単な説明】
【００４４】
【図１】無線通信障害監視システムの構成例を示すブロック図
【図２】無線送受信装置の構成例を示すブロック図
【図３】通信状況レポートのデータ構成例を示す図
【図４】測定結果データのデータ構成例を示す図
【図５】ログのデータ構成例を示す図
【図６】通信障害監視装置の構成例を示すブロック図
【図７】無線通信障害監視装置の動作例を示すタイミングチャート
【符号の説明】
【００４５】
１  …無線通信障害監視システム
１０  …端末装置
２０  …無線送受信装置
３０  …センサ
４０  …無線通信障害監視装置
４０１  …ログ記憶部
４０２  …ログ解析部
４０３  …条件記憶部
４０４  …通報部
【図１】
2008005039.tif 000003
【図２】
2008005039.tif 000004
【図３】
2008005039.tif 000005
【図４】
2008005039.tif 000006
【図５】
2008005039.tif 000007
【図６】
2008005039.tif 000008
【図７】
2008005039.tif 000009